(57)【要約】【課題】この発明は、所定の形態に組み立てられた複数のケースを上下に安定して積み重ねることができる包装ケースの提供を目的とする。【解決手段】包装ケース１Ａの下端側開口部を底蓋２０ａ〜２０ｄにて閉塞した後、前後上蓋１５，１６の矩形蓋部１５ａ，１６ａを、前後壁部１１，１２の中央上縁部に付設した真っ直ぐな折り曲げ罫線２１に沿って包装ケース１Ａの上端側開口部と対向する方向へ折り曲げる。また、前後上蓋１５，１６の三角蓋部１５ｂ，１６ｂを、前後壁部１１，１２の左右上縁部に付設した弧状曲線の折り曲げ罫線２１に沿って包装ケース１Ａの上端側開口部と対向する方向へ折り曲げるとともに、前後上蓋１５，１６を上下に重ね合わせて閉塞する。前後上蓋１５，１６の矩形蓋部１５ａ，１６ａをほぼ水平な状態に重ね合わせるので、多角筒状形態に組み立てられた包装ケース１Ａを上下に安定して積み重ねることができる。【選択図】図１
2013124114.tif 000002
【特許請求の範囲】
【請求項１】
両側縁部が折り曲げ罫線を介して連設された前側壁部及び後側壁部と、前側壁部の上縁部に折り曲げ罫線を介して連設した前側上蓋と、後側壁部の上縁部に折り曲げ罫線を介して連設した後側上蓋と、前後壁部の下縁部に折り曲げ罫線を介して連設した底蓋とを有する包装ケースであって、
前記前後上蓋を、
前記前後壁部の中央上縁部に折り曲げ罫線を介して連設した矩形蓋部と、前記前後壁部の左右上縁部及び前記矩形蓋部の両側縁部に折り曲げ罫線を介して連設した左右一対の三角蓋部とで構成し、
前記前後壁部の中央上縁部に付設した折り曲げ罫線を、該前後壁部の中央部から両端部に向けて真っ直ぐに形成し、
前記前後壁部の左右上縁部に付設した折り曲げ罫線を、該前後壁部の中央部から両端部に向けて徐々に高くなる滑らかな弧状曲線に形成した
包装ケース。
【請求項２】
前記前側壁部の中央面に、該前側壁部の下端側から上端側に向けて徐々に間隔が広くなるＶ字状の折り曲げ罫線を付設し、
該Ｖ字状の折り曲げ罫線の上端を、前記矩形蓋部の横幅と対応する間隔に離間し、該矩形蓋部と三角蓋部との連設部分に付設した折り曲げ罫線の下端に接続した
請求項１に記載の包装ケース。
【請求項３】
前記前後壁部の両側縁部間に、前記包装ケースの内側に向けて折り込み可能な側壁部を連設した
請求項１又は２に記載の包装ケース。
【請求項４】
前記矩形蓋部の長辺側縁部を、前記底蓋にて閉塞された前記包装ケースの下面側閉塞部の一辺と同等長さ又は同等以上の長さに形成した
請求項１〜３のいずれか一つに記載の包装ケース。
【発明の詳細な説明】
【技術分野】
【０００１】
この発明は、例えば飲み物が充填された容器、或いは、化粧品、タバコ、文具、玩具、食品、調理器具、植物が植えられた植木鉢等の被収容物を包装する際に用いられる包装ケースに関する。
【背景技術】
【０００２】
従来、上述の被収容物を包装するケースとして、例えば既に提案済みのプラスチックケース（特許文献１参照）には、外方に湾曲した前面板及び後面板と一対の側面板とからなる４面筒状のケース本体と、前面板及び後面板の上下開口端に円弧状折曲げ線を介してそれぞれ連設した上下蓋板と、一対の側面板の下部開口端から延出した脚片とを有する構成が開示されている。
【０００３】
しかし、上下蓋部を、円弧状折曲げ線に沿ってケース本体の上下開口と対向する方向へそれぞれ折り曲げ、各蓋部を上下に重ね合わせてケース本体の上下開口を閉塞した際、上下に重ね合わされた蓋部が、正面から見て中央部から両端部に向けて徐々に高くなるように湾曲した状態に変形する（特許文献１の図２参照）。
【０００４】
したがって、物品が収納されたプラスチックケースを上下に積み重ねようとしても、下側に配置したプラスチックケースの上側蓋部が湾曲しているため、上側に載置されるプラスチックケースの向きや姿勢が安定せず、倒れやすいので、複数のプラスチックケースを上下に積み重ねることが構造的に不可能である。
【先行技術文献】
【特許文献】
【０００５】
【特許文献１】特開２００３−３４１６６２号公報
【発明の概要】
【発明が解決しようとする課題】
【０００６】
この発明は、所定の形態に組み立てられた複数のケースを上下に安定して積み重ねることができる包装ケースを提供することを目的とする。
【課題を解決するための手段】
【０００７】
この発明は、両側縁部が折り曲げ罫線にて連設された前側壁部及び後側壁部と、前側壁部の上縁部に折り曲げ罫線を介して連設した前側上蓋と、後側壁部の上縁部に折り曲げ罫線を介して連設した後側上蓋と、前後壁部の下縁部に折り曲げ罫線を介して連設した底蓋とを有する包装ケースであって、前記前後上蓋を、前記前後壁部の中央上縁部に折り曲げ罫線を介して連設した矩形蓋部と、前記前後壁部の左右上縁部及び前記矩形蓋部の両側縁部に折り曲げ罫線を介して連設した一対の三角蓋部とで構成し、前記前後壁部の中央上縁部に付設した折り曲げ罫線を、該前後壁部の中央部から両端部に向けて真っ直ぐに形成し、前記前後壁部の左右上縁部に付設した折り曲げ罫線を、該前後壁部の中央部から両端部に向けて徐々に高くなる滑らかな弧状曲線に形成した包装ケースであることを特徴とする。
【０００８】
この発明によれば、複数の包装ケースを上下に安定して積み重ねることができる。
【０００９】
詳述すると、包装ケースの下端側開口部を底蓋にて閉塞した後、前後上蓋を包装ケースの上端側開口部と対向する方向へ折り曲げる。すなわち、前後上蓋の矩形蓋部を、前後壁部の中央上縁部に付設した真っ直ぐな折り曲げ罫線に沿って包装ケースの上端側開口部と対向する方向へ折り曲げる。また、前後上蓋の三角蓋部を、前後壁部の左右上縁部に付設した弧状曲線の折り曲げ罫線に沿って包装ケースの上端側開口部と対向する方向へ折り曲げる。
【００１０】
つまり、前後上蓋を、包装ケースの上端側開口部と対向する方向へ折り曲げるだけで、包装ケースの上端側開口部を前後上蓋にて確実に閉塞することができるとともに、前後上蓋の矩形蓋部をほぼ水平な状態に重ね合わせることができる。また、前後上蓋の三角蓋部を、弧状曲線の折り曲げ罫線に沿って湾曲した状態に重ね合わせることができる。
【００１１】
この結果、下側に配置される包装ケースの前後上蓋にて閉塞された上面側閉塞部に、上側に載置される包装ケースの底蓋にて閉塞された下面側閉塞部を載せた際、上側に載置される包装ケースの向きや姿勢が安定するので、所定の形態に組み立てられた包装ケースを上下に複数段積み重ねることできる。
【００１２】
この発明の態様として、前記前後壁部の中央面に、該前側壁部の下端側から上端側に向けて徐々に間隔が広くなるＶ字状の折り曲げ罫線を付設し、該Ｖ字状の折り曲げ罫線の上端を、前記矩形蓋部の横幅と対応する間隔に離間し、該矩形蓋部と三角蓋部との連設部分に付設した折り曲げ罫線の下端に接続することができる。  
この発明によれば、前後上蓋の矩形蓋部をほぼ水平な状態に重ね合わせることができる。
【００１３】
詳述すると、Ｖ字状の折り曲げ罫線によって、前後壁部の上縁部に付設した折り曲げ罫線を、前後上蓋の矩形蓋部と対応する真っ直ぐな折り曲げ罫線と、三角蓋部と対応する弧状曲線の折り曲げ罫線とに分割しているので、矩形蓋部を連設した前後壁部の中央上縁部が外側へ湾曲しにくく、該中央上縁部に付設した折り曲げ罫線が真っ直ぐな状態に保たれるので、前後上蓋の矩形蓋部をほぼ水平な状態に重ね合わせることができる。  
この結果、前後上蓋の矩形蓋部を、包装ケースの積み重ねが許容される状態に重ね合わせることができる。
【００１４】
また、この発明の態様として、前記前後壁部の両側縁部間に、前記包装ケースの内側に向けて折り込み可能な側壁部を連設することができる。  
この発明によれば、包装ケースに収容された被収容物を安定した位置及び姿勢に保持することができる。
【００１５】
つまり、内側に織り込まれた側壁部を、包装ケースに収容された被収容物の側面に当接あるいは押し当てるので、持運び時或いは運搬時において、包装ケースに収容された被収容物に振動や衝撃が付加されても、被収容物がガタ付きにくく、被収容物の位置や姿勢が変位することを防止できる。
【００１６】
また、側壁部が変形することによって、包装ケースに付加される衝撃が吸収・緩和されるので、被収容物に対して衝撃が直接付加されることがなく、被収容物が破損又は損傷することを防止できる。
【００１７】
また、この発明の態様として、前記矩形蓋部の長辺側縁部を、前記底蓋にて閉塞された下面側閉塞部の一辺と同等長さ又は同等以上の長さに形成することができる。  
この発明によれば、下側に配置される包装ケースの上面側閉塞部に、上段側の包装ケースの載置が許容されるスペースを確保することができる。
【００１８】
詳述すると、前後上蓋の矩形蓋部の長辺側縁部を、底蓋にて閉塞された包装ケースの下面側閉塞部の一辺と同等長さ又は同等以上の長さに形成しているので、所定の形態に組み立てられた包装ケースを上下に積み重ねる際、下側に配置される包装ケースの上面側閉塞部に、上側に載置される包装ケースの下面側閉塞部を載せるためのスペースを確保することができる。  
この結果、上側に載置される包装ケースを、下側に配置される包装ケースに対して所定角度に向きを変更して載置することができる。
【００１９】
上述の被収容物は、例えば飲み物が充填された容器、或いは、化粧品、タバコ、文具、玩具、食品、調理器具等で構成することができる。また、容器は、例えばガラス、金属、プラスチック、セラミックス等の材質で構成することができる。
【００２０】
また、シートは、例えば生分解性プラスチック、塩化ビニル（ＰＶＣ）、ポリプロピレン（ＰＰ）、ポリエチレン（ＰＥ）、アモルファスポリエチレンテレフタレート（Ａ−ＰＥＴ）等の透光性又は不透明に形成したプラスチックシート、或いは、所望する表示内容が印刷されたプラスチックシートで構成することができる。
【００２１】
また、折り曲げ罫線は、例えば特開平１−１４０５２０号公報、特開平８−３９６６１号公報、特開２００３−２６６５３２号公報、特開２００３−２９２０２３号公報、特開２００４−１８５８号公報、特開２００４−８３１２９号公報等に開示された罫線刃にて付設することができる。
【発明の効果】
【００２２】
この発明によれば、所定の形態に組み立てられた複数のケースを上下に安定して積み重ねることができる。
【図面の簡単な説明】
【００２３】
【図１】多角筒状形態に組み立てられた包装ケースの斜視図。
【図２】図1の包装ケースを前方から見た正面図。
【図３】図1の包装ケースを上方から見た平面図。
【図４】図1の包装ケースを右側から見た側面図。
【図５】図1の包装ケースの上蓋を開放した斜視図。
【図６】包装ケースを展開した折り曲げ罫線入りシートの平面図。
【図７】包装ケースを上下に積み重ねた状態の正面図。
【図８】他の例の三角壁部が無いタイプの包装ケースの斜視図。
【図９】図８の包装ケースを展開した折り曲げ罫線入りシートの平面図。
【発明を実施するための形態】
【００２４】
この発明の一実施形態を以下図面に基づいて詳述する。  
図１は多角筒状形態に組み立てられた包装ケース１Ａを前方斜め上方から見た斜視図、図２は図1の包装ケース１Ａを前方から見た正面図、図３は図1の包装ケース１Ａを上方から見た平面図、図４は図1の包装ケース１Ａを右側から見た側面図、図５は図1の包装ケース１Ａの前後上蓋１５，１６を開放した斜視図、図６は包装ケース１Ａを展開した折り曲げ罫線入りシート１０Ａの平面図である。
【００２５】
実施形態の包装ケース１Ａは、図６に示す大きさ及び形状に型抜きした展開状態の折り曲げ罫線入りシート１０Ａを多角筒状形態に組み立てたものである。  
折り曲げ罫線入りシート１０Ａは、前側壁部１１と、後側壁部１２と、左右の三角壁部１３と、前側上蓋１５と、後側上蓋１６と、接合片１７と、底蓋２０ａ〜２０ｄとを備えている。
【００２６】
前側壁部１１は、平面から見て上下逆三角形に形成したＶ字状の三角面部１１ａと、該三角面部１１ａの両側斜辺縁部に連設した左右一対の斜面部１１ｂとで構成している（図６参照）。
【００２７】
三角面部１１ａと斜面部１１ｂとの連設部分には、該三角面部１１ａの斜め後方に向けて斜面部１１ｂの折り曲げが許容される折り曲げ罫線２１を、その連設側斜辺に沿って平面から見てＶ字状に付設している。
【００２８】
後側壁部１２は、平面から見て上下逆三角形に形成したＶ字状の三角面部１２ａと、該三角面部１２ａの両側斜辺縁部に連設した左右一対の斜面部１２ｂとで構成している（図６参照）。
【００２９】
三角面部１２ａと斜面部１２ｂとの連設部分には、該三角面部１２ａの斜め後方に向けて斜面部１２ｂの折り曲げが許容される折り曲げ罫線２１を、その連設側斜辺に沿って平面から見てＶ字状に付設している。
【００３０】
前後壁部１１，１２に付設したＶ字状の折り曲げ罫線２１，２１は、三角面部１１ａ，１２ａの下端側から上端側に向けて徐々に間隔が広くなるように付設している。  
折り曲げ罫線２１，２１の上端は、後述する前後上蓋１５，１６の矩形蓋部１５ａ，１６ａの横幅と対応する間隔に離間して、矩形蓋部１５ａ，１６ａと三角蓋部１５ｂ，１６ｂとの連設部分に付設した折り曲げ罫線２１，２１の下端にそれぞれ接続している。  
また、折り曲げ罫線２１，２１の下端は１本に合流して、前後壁部１１，１２の中央下縁部に至る長さ付設している。
【００３１】
斜面部１２ｂと斜面部１１ｂとの連設部分には、前側壁部１１の収容側内壁面と対向する方向に向けて後側壁部１２の折り曲げが許容される折り曲げ罫線２１を、その連設側縁部に沿って付設している。また、その連設側縁部間に、後述する三角壁部１３を連設している。  
なお、三角面部１２ａは、上述の三角面部１１ａを幅方向中央部にて左右に分割した大きさ及び形状に形成している。
【００３２】
また、平面から見て左側に配置した後側壁部１２の遊端側縁部には、後述する後側右壁部１３の遊端側縁部に対して接合される接合片１７を連設している。  
この接合片１７は、後側壁部１２の遊端側縁部全長と対応する長さに形成している。すなわち、後側壁部１２の遊端側縁部全長は、三角面部１２ａと、斜面部１２ｂと、後述する矩形蓋部１６ａとの遊端側縁部と対応する長さである。
【００３３】
三角壁部１３は、側面から見て三角形に形成した左右一対の斜面部１３ａで構成している（図６参照）。  
斜面部１３ａ，１３ａの連設部分と、斜面部１２ｂ，１３ａとの連設部分と、斜面部１１ｂ，１３ａとの連設部分には、後述する包装ケース１Ａの内側に向けて三角壁部１３の折り込みが許容される折り曲げ罫線２１を、その連設側縁部に沿って付設している。
【００３４】
また、平面から見て左側斜面部１１ｂと右側斜面部１２ｂとの下縁部には、同一の大きさ及び形状に形成した底蓋２０ａ，２０ｂを連設している。  
右側斜面部１１ｂと左側斜面部１２ｂとの下縁部には、同一の大きさ及び形状に形成した底蓋２０ｃ，２０ｄを連設している。その底蓋２０ｃ，２０ｄの斜辺には係止片２０ｃｆ，２０ｄｆを連設している(図６参照)。
【００３５】
上述の左右斜面部１１ｂ，１２ｂと底蓋２０ａ，２０ｂ，２０ｃ，２０ｄとの連設部分には、後述する包装ケース１Ａの下端側開口部と対向する方向に向けて折り曲げが許容される折り曲げ罫線２１を付設している。
【００３６】
また、底蓋２０ｃと係止片２０ｃｆとの連設部分と、底蓋２０ｄと係止片２０ｄｆとの連設部分には、後述する包装ケース１Ａの内側に向けて折り曲げが許容される折り曲げ罫線２１を付設している。
【００３７】
前側上蓋１５は、後述する包装ケース１Ａの上端側開口部が閉塞される大きさ及び形状に形成され、前側壁部１１の上縁部に対して折り曲げ可能に連設している（図１〜図６参照）。  
また、前側上蓋１５は、平面から見て矩形に形成した矩形蓋部１５ａと、該矩形蓋部１５ａの両側縁部に連設した一対の三角蓋部１５ｂとで構成している。
【００３８】
矩形蓋部１５ａと三角面部１１ａとの連設部分には、包装ケース１Ａの上端側開口部と対向する方向に向けて矩形蓋部１５ａの折り曲げが許容される折り曲げ罫線２１を、その連設側縁部に沿って幅方向Ｗに付設している。  
その連設側縁部に付設した折り曲げ罫線２１は、前側壁部１１の三角面部１１ａの中央上縁部から両側上縁部に向けて幅方向Ｗと平行して真っ直ぐに付設している。
【００３９】
三角蓋部１５ｂと斜面部１１ｂとの連設部分には、包装ケース１Ａの上端側開口部と対向する方向に向けて三角蓋部１５ｂの折り曲げが許容される折り曲げ罫線２１を、その連設側縁部に沿って付設している。
【００４０】
その連設側縁部に付設した折り曲げ罫線２１は、前側壁部１１の中央部から両端部に向けて徐々に高くなる滑らかな弧状曲線に形成している。すなわち、三角面部１１ａの上縁側両端部を基点として、斜面部１１ｂの上縁側低位端部から上縁側高位端部に向けて徐々に高くなる滑らかな弧状曲線に形成している。
【００４１】
矩形蓋部１５ａと三角蓋部１５ｂとの連設部分には、包装ケース１Ａの上端側開口部に沿って矩形蓋部１５ａ及び三角蓋部１５ｂの折り曲げが許容される折り曲げ罫線２１を、その真っ直ぐな連設側縁部に沿って幅方向Ｗと直交する方向に向けて平行に付設している。
【００４２】
後側上蓋１６は、後述する包装ケース１Ａの上端側開口部が閉塞される大きさ及び形状され、後側壁部１２の上縁部に対して折り曲げ可能に連設している（図１〜図６参照）。  
また、後側上蓋１６は、上述の矩形蓋部１５ａと対応する大きさ及び形状に形成した平面から見て矩形の矩形蓋部１６ａと、該矩形蓋部１６ａの両側縁部に連設した上述の三角蓋部１５ｂと対応する大きさ及び形状に形成した左右一対の三角蓋部１６ｂとで構成している（図１〜図６参照）。
【００４３】
矩形蓋部１６ａと三角面部１２ａとの連設部分には、包装ケース１Ａの上端側開口部と対向する方向に向けて矩形蓋部１６ａの折り曲げが許容される折り曲げ罫線２１を、その連設側縁部に沿って幅方向Ｗに付設している。  
その連設側縁部に付設した折り曲げ罫線２１は、後側壁部１２の三角面部１２ａの中央上縁部から両側上縁部に向けて幅方向Ｗと平行して真っ直ぐに付設している。
【００４４】
三角蓋部１６ｂと斜面部１２ｂとの連設部分には、包装ケース１Ａの上端側開口部と対向する方向に向けて三角蓋部１６ｂの折り曲げが許容される折り曲げ罫線２１を、その連設側縁部に沿って付設している。
【００４５】
その連設側縁部に付設した折り曲げ罫線２１は、後側壁部１２の中央部から両端部に向けて徐々に高くなる滑らかな弧状曲線に形成している。すなわち、三角面部１２ａの上縁側両端部を基点として、斜面部１２ｂの上縁側低位端部から上縁側高位端部に向けて徐々に高くなる滑らかな弧状曲線に形成している。
【００４６】
矩形蓋部１６ａと三角蓋部１６ｂとの連設部分には、包装ケース１Ａの上端側開口部に沿って矩形蓋部１６ａ及び三角蓋部１６ｂの折り曲げが許容される折り曲げ罫線２１を、その真っ直ぐな連設側縁部に沿って幅方向Ｗと直交する方向に向けて平行に付設している。
【００４７】
なお、矩形蓋部１６ａは、該矩形蓋部１６ａを幅方向中央部にて左右に分割するとともに、その分割した左右の矩形蓋部１６ａを、上述の左右分割した三角面部１２ａの上縁部にそれぞれ連設している。
【００４８】
これにより、前後上蓋１５，１６を、包装ケース１Ｂの上端側開口部が開口される状態に起立し、外側に湾曲した開口姿勢と、包装ケース１Ｂの上端側開口部が閉塞される状態に倒伏し、内側に湾曲した閉塞姿勢とに折り曲げ可能に設けている。
【００４９】
また、前後壁部１１，１２の三角面部１１ａ，１２ａの長辺側上縁部と、前後上蓋１５，１６の矩形蓋部１５ａ，１６ａの長辺側下縁部は、包装ケース１Ａの底蓋２０ａ〜２０ｄにて閉塞された底面から見て正方形の下面側閉塞部の一辺と同等長さ又は同等以上の長さに形成している。
【００５０】
これにより、多角筒状形態に組み立てられた包装ケース１Ａを上下に積み重ねる際、下側に配置される包装ケース１Ａの上面側閉塞部に、上側に載置される包装ケース１Ａの下面側閉塞部を載せるためのスペースを確保することができる。
【００５１】
上述の折り曲げ罫線２１は、透光性を有するプラスチックシートを、図１に示す包装ケース１Ａに組み立てることが可能な大きさ及び形状の折り曲げ罫線入りシート１０Ａに型抜きする際、図６中の点線で示す折り曲げ部分（又は連設部分）に、折り曲げ罫線２１と対応する刃形状に形成した図示しない罫線刃を押し付けて加工する。
【００５２】
次に、図６に示す大きさ及び形状に型抜きした折り曲げ罫線入りシート１０Ａを、図１に示す多角筒状形態の包装ケース１Ａに組み立てる方法を説明する。  
先ず、多角筒状形態に組み立てる前段階として、折り曲げ罫線入りシート１０Ａの左右後側壁部１２，１２を、前側壁部１１の両側縁部に付設した折り曲げ罫線２１に沿って該前側壁部１１の収容側内壁面と対向する方向へ折り曲げ、左右後側壁部１２，１２の遊端側縁部を互いに重ね合わせる。
【００５３】
つまり、左右後側壁部１２の三角面部１２ａと、斜面部１２ｂと、後側上蓋６の矩形蓋部１６ａとの遊端側左右縁部を互いに重ね合わせるとともに、左側に連設した後側壁部１２の接合片１７を、右側に連設した後側右壁部１３の遊端側縁部に重ね合わせて、図示しない接着剤にて接着固定する。  
これにより、包装ケース１Ａを、上端側開口部及び下端側開口部が開口された扁平筒状形態に組み付けることができる。
【００５４】
次に、斜面部１１ｂの底蓋２０ａと、底蓋２０ｃの係止片２０ｃｆとを重ね合わせて、図示しない接着剤にて接着固定する。また、斜面部１２ｂの底蓋２０ｄと、底蓋２０ｂの係止片２０ｂｆとを重ね合わせて、図示しない接着剤にて接着固定する。
【００５５】
この後、底蓋２０ａ，２０ｃ及び底蓋２０ｂ，２０ｄを、筒状形態を有する包装ケース１Ａの内側に折り込みながら、底蓋２０ｃ，２０ｄの対向縁部に形成した溝部２０ｅを互いに係止して、包装ケース１Ａの下端側開口部を閉塞する。  
これにより、包装ケース１Ａを、底蓋２０ａ〜２０ｄにて下端側開口部が底面から見て正方形に閉塞され、上端側開口部が横長楕円形状に開口された多角筒状形態に組み立てることができる（図５参照）。
【００５６】
包装ケース１Ａを多角筒状形態に組み立てた後、前側上蓋１５と後側上蓋１６とを、図４中の内側仮想線及び図５中の実線に示す開口姿勢に起立した状態において、図示しない被収容物を、包装ケース１Ａの上端側開口部から収容する。
【００５７】
被収容物を収容した後、後側上蓋１６の矩形蓋部１６ａを、後側壁部１２の中央上縁部に付設した真っ直ぐな折り曲げ罫線２１に沿って包装ケース１Ａの上端側開口部と対向する方向に向けて直角に折り曲げるとともに、後側上蓋１６の三角蓋部１６ｂ，１６ｂを、後側壁部１２の左右上縁部に付設した弧状曲線の折り曲げ罫線２１に沿って包装ケース１Ａの上端側開口部と対向する方向に向けて直角に折り曲げる。
【００５８】
続いて、前側上蓋１５の矩形蓋部１５ａを、前側壁部１１の中央上縁部に付設した真っ直ぐな折り曲げ罫線２１に沿って包装ケース１Ａの上端側開口部と対向する方向に向けて直角に折り曲げるとともに、前側上蓋１５の三角蓋部１５ｂ，１５ｂを、前側壁部１１の左右上縁部に付設した弧状曲線の折り曲げ罫線２１に沿って包装ケース１Ａの上端側開口部と対向する方向に向けて直角に折り曲げる。
【００５９】
つまり、前側上蓋１５を、先に折り曲げられた後側上蓋１６の上面に重ね合わせて、包装ケース１Ａの上端側開口部を閉塞する。  
これにより、包装ケース１Ａによる被収容物の包装作業が完了する（図１〜図４参照）。
【００６０】
また、前側上蓋１５及び後側上蓋１６を、図４中の内側仮想線に示す開口姿勢に起立した状態において、包装ケース１Ａの全体を左右から幅方向Ｗに押圧して、図４中の外側仮想線に示す筒状形態に変形すれば、前後上蓋１５，１６のみを開口姿勢に起立した状態よりも、包装ケース１Ａの上端側開口部が大きく開口される。  
これにより、図示しない被収容物を、包装ケース１Ａの内部に収容したり、該内部から取り出したりする作業が簡単且つ容易に行える。
【００６１】
また、前後上蓋１５，１６を、包装ケース１Ｂの上端側開口部と対向する方向に向けて開口姿勢から閉塞姿勢へ折り曲げる際、三角蓋部１５ｂ，１６ｂが外側に湾曲した状態から内側に湾曲した状態に反転する。
【００６２】
その反転時に付与される反転抵抗によって、前後上蓋１５，１６が包装ケース１Ｂの上端側開口部と対向する方向に向けて折り曲げ状態に付勢されるので、前後上蓋１５，１６を、包装ケース１Ｂの上端側開口部が閉塞された閉塞姿勢に保つことができる。
【００６３】
また、前後上蓋１５，１６を、包装ケース１Ｂの上端側開口部が開口される方向に向けて閉塞姿勢から開口姿勢へ起立する際、上述とは反対に、三角蓋部１５ｂ，１６ｂが内側に湾曲した状態から外側に湾曲した状態に反転する。
【００６４】
その反転時に付与される反転抵抗によって、前後上蓋１５，１６が包装ケース１Ｂの上端側開口部が開口される方向に向けて起立状態に付勢されるので、前後上蓋１５，１６を、包装ケース１Ｂの上端側開口部が開口された開口姿勢に起立状態に保つことができる。
【００６５】
前後上蓋１５，１６を閉塞姿勢に倒伏した際、三角蓋部１５ｂ，１６ｂの反転抵抗によって閉塞姿勢に保っているので、前後上蓋１５，１６をその反転抵抗に抗して起立操作しなければ起立することがなく、包装ケース１Ｂの上端側開口部が勝手に開口されることを防止できる。
【００６６】
また、前後上蓋１５，１６を開口姿勢に起立した際、三角蓋部１５ｂ，１６ｂの反転抵抗によって開口姿勢に保っているので、前後上蓋１５，１６をその反転抵抗に抗して倒伏操作しなければ閉塞することがなく、包装ケース１Ｂの上端側開口部が勝手に閉塞されることを防止できる。
【００６７】
次に、図示しない被収容物が収容された包装ケース１Ａを上下に積み重ねる際、図７に示すように、上側に載置される包装ケース１Ａを、図７中の軸芯Ｐを中心として軸周りに４５度水平回転する。  
下側に配置される包装ケース１Ａの前後上蓋１５，１６にて閉塞した上面側閉塞部に、上側に載置される包装ケース１Ａの底蓋２０ａ〜２０ｄにて閉塞された底面から見て正方形の下面側閉塞部を載置する（図７参照）。
【００６８】
つまり、前後上蓋１５，１６を、包装ケース１Ａの上端側開口部と対向する方向に折り曲げるとともに、上下に重ね合わせて閉塞した際、前側上蓋１５の矩形蓋部１５ａと、後側上蓋１６の矩形蓋部１６ａとがほぼ水平な状態に重ね合わされるので（図１〜図４参照）、図１に示す多角筒状形態に組み立てられた包装ケース１Ａを上下に安定して複数段積み重ねることができる。
【００６９】
次に、図８、図９を用いて、三角壁部１３が無いタイプの包装ケース１Ｂの構造について説明する。  
図８は他の例の三角壁部１３が無いタイプの包装ケース１Ｂの斜視図、図９は図８の包装ケース１Ｂを展開した折り曲げ罫線入りシート１０Ｂの平面図である。  
なお、他の例において、前述の実施形態と同一構成の部分は同一の符号を記してその詳細な説明を省略する。
【００７０】
三角壁部１３が無いタイプの包装ケース１Ｂは、プラスチックシートを、図８に示す包装ケース１Ｂを展開してなる折り曲げ罫線入りシート１０Ｂに型抜きする際（図９参照）、三角壁部１３を設けなくても、その型抜きされた折り曲げ罫線入りシート１０Ｂを、図８に示す多角筒状形態の包装ケース１Ｂに組み立てることができる。
【００７１】
図示しない被収容物を、底蓋２０ａ〜２０ｄにて下端側開口部が閉塞された包装ケース１Ｂに収容した後、前後上蓋１５，１６を、包装ケース１Ｂの上端側開口部と対向する方向に向けて直角に折り曲げるとともに、上下に重ね合わせて閉塞する。
【００７２】
これにより、前述の実施形態と同様に、前側上蓋１５の矩形蓋部１５ａと、後側上蓋１６の矩形蓋部１６ａとがほぼ水平な状態に重ね合わされるので、三角壁部１３が無いタイプの包装ケース１Ｂであっても、上下に安定して複数段積み重ねることができる（図７参照）。
【００７３】
前後上蓋１５，１６を閉塞姿勢に倒伏した際、三角蓋部１５ｂ，１６ｂの反転抵抗によって閉塞姿勢に保つことができるので、包装ケース１Ｂの上端側開口部が勝手に開口されることを防止できる。
【００７４】
また、前後上蓋１５，１６を開口姿勢に起立した際、三角蓋部１５ｂ，１６ｂの反転抵抗によって開口姿勢に保つことができるので、包装ケース１Ｂの上端側開口部が勝手に閉塞されることを防止できる。  
この結果、前記実施形態と略同等の作用及び効果を奏することができる。
【００７５】
この発明の構成と、前記実施形態との対応において、  
この発明の包装ケースは、実施形態の包装ケース１Ａ，１Ｂに対応し、  
以下同様に、  
側壁部は、三角壁部１３に対応するも、  
この発明は、上述の実施形態の構成のみに限定されるものではなく、請求項に示される技術思想に基づいて応用することができ、多くの実施の形態を得ることができる。
【００７６】
上述の接着剤に代わる接合手段の他の例として、例えば熱溶着装置、超音波溶接装置等を用いて溶着固定してもよい。
【符号の説明】
【００７７】
１Ａ，１Ｂ…包装ケース
１０Ａ，１０Ｂ…折り曲げ罫線入りシート
１１…前側壁部
１２…後側壁部
１３…三角壁部
１５…前側上蓋
１６…後側上蓋
１５ａ，１６ａ…矩形蓋部
１５ｂ，１６ｂ…三角蓋部
１７…接合片
２０ａ〜２０ｄ…底蓋
２１…折り曲げ罫線
【図１】
2013124114.tif 000003
【図２】
2013124114.tif 000004
【図３】
2013124114.tif 000005
【図４】
2013124114.tif 000006
【図５】
2013124114.tif 000007
【図６】
2013124114.tif 000008
【図７】
2013124114.tif 000009
【図８】
2013124114.tif 000010
【図９】
2013124114.tif 000011